(57)【要約】【課題】足場等に使用される楔緊結装置において、緊結状態とされた顎金具の上動を阻止するためのロック装置を提供する。【解決手段】支柱に固設されたフランジ(13)に連結部材に固設された顎金具(12)を載置し、楔部材(17)を待機位置(P1)から緊結位置(P2)まで下動させることにより、楔部(17A)を緊結孔の接支縁部(14a)と挿通孔の受縁部(16a)の間に圧入することにより、顎金具の先端部(15a)を支柱(11)に圧接状態で当接させるように構成された楔緊結装置において、楔部材(17)を緊結位置(P2)に下動したとき、前記顎金具(15)の上動を阻止するロック装置(22)を設けており、フランジ(13)の外周縁部に対して外側に位置するアンロック位置(L1)と下側に位置するロック位置(L2)との間で移動自在なロック片(23)と、前記楔部材(17)の上下動に連動して前記ロック片を移動させる作動機構(24)により構成されている。【選択図】図９
2020023804.tif 000002
【特許請求の範囲】
【請求項１】
支柱に固設されたフランジと連結部材に固設された顎金具を楔部材により連結する楔緊結装置であり、
前記フランジ(13)の緊結孔(14)に前記顎金具(15)の挿通孔(16)を臨ませた状態で、挿通孔及び緊結孔に挿通された楔部材(17)を待機位置(P1)から緊結位置(P2)まで下動させ、該楔部材の楔部(17A)を緊結孔の接支縁部(14a)と挿通孔の受縁部(16a)の間に圧入し、楔部材を支柱に向けて前進させることにより、顎金具の先端部(15a)を支柱(11)に圧接状態で当接させる構成において、
前記楔部材(17)を緊結位置(P2)に下動したとき、前記顎金具(15)の上動を阻止するロック装置(22)を設けており、
前記ロック装置(22)は、前記顎金具に設けられて前記フランジ(13)の外周縁部に対して外側に位置するアンロック位置(L1)と下側に位置するロック位置(L2)との間で移動自在なロック片(23)と、前記楔部材(17)の上下動に連動して前記ロック片を移動させる作動機構(24)により構成され、
前記作動機構(24)は、楔部材を待機位置(P1)に位置させたときロック片(23)をアンロック位置(L1)に移動し、楔部材を緊結位置(P2)に位置させたときロック片(23)をロック位置(L2)に移動するように構成されて成ることを特徴とする楔緊結装置におけるロック装置。
【請求項２】
前記楔部材を待機位置(P1)から自重で下降しないように弾性的に保持する保持手段(34)を設けて成ることを特徴とする請求項１に記載の楔緊結装置におけるロック装置。
【請求項３】
前記楔部材(17)は、前記楔部に間隔をあけて並設された枝部(17X)を備えると共に、該枝部を前記顎金具(15)に形成された作動室(20)に挿入しており、
前記作動室(20)にロック片(23)を内装すると共に、該ロック片(23)と前記枝部(17X)の間に前記作動機構(24)を構成して成ることを特徴とする請求項１又は２に記載の楔緊結装置におけるロック装置。
【請求項４】
前記保持手段(34)は、前記楔部材の枝部(17X)に弾接されることにより該枝部を保持する保持スプリング(35)から成ることを特徴とする請求項３に記載の楔緊結装置におけるロック装置。
【請求項５】
前記保持手段(34)は、前記ロック片(23)をアンロック位置(L1)に保持する復帰スプリング(38)と、アンロック位置(L1)のロック片(23)と待機位置(P1)の楔部材(17)の相互において衝合するカム部(39,40)により、楔部材(17)を待機位置(P2)に保持させるように構成して成ることを特徴とする請求項３に記載の楔緊結装置におけるロック装置。
【発明の詳細な説明】
【技術分野】
【０００１】
本発明は、仮設足場等の足場に使用される楔緊結装置におけるロック装置に関する。
【背景技術】
【０００２】
従来、構築と解体を行う仮設足場において、楔緊結装置が提供されている。例えば、図１に示すように、支柱１と横架材等の連結部材２を着脱自在に連結するための装置として、支柱１の長手方向に間隔をあけて固設したフランジ３に設けた緊結孔４に対して、連結部材２の端部に固設した顎金具５を楔部材６により緊結する楔緊結装置が公知である。
【０００３】
顎金具５は、上下顎部７、８にそれぞれ上側の挿通孔９と下側の挿通孔１０を設けており、顎金具５を横向き移動させ、上下顎部の間にフランジ３を進入させたとき、フランジの緊結孔４と上下顎部の挿通孔９、１０を上下方向に連通させるように形成されている。
【０００４】
楔部材６は、前記の各孔に挿通自在な厚さの盤状体より形成され、腹部６ａと背部６ｂの間の幅寸法を下方に向けて次第に幅狭とするように形成されている。
【０００５】
そこで、楔部材６を上から下に向けて上顎７の挿通孔９とフランジ３の緊結孔４と下顎部８の挿通孔１０に挿通させた待機位置Ｐ１から、ハンマー等により殴打して緊結位置Ｐ２まで下動させると、図１（Ａ）に示すように、楔部材６は、緊結孔４の接支縁部４ａと、挿通孔９の受縁部９ａの間に圧入され、受縁部９ａを支柱１に向けて押圧することにより、上顎部７の先端の当接部７ａを支柱に圧接状態で当接させる。同時に、楔部材６は、下側の挿通孔１０の受縁部１０ａを押圧することにより、下顎部８の当接部８ａを支柱に圧接状態で当接させる。これにより、フランジ３と楔部材６と顎金具５と支柱１の相互における緊結状態が得られる。
【０００６】
そして、この緊結状態において、下顎部８の挿通孔１０から挿出された楔部材６の下端部をハンマー等により殴打して上動させると、緊結状態が解除される。
【先行技術文献】
【特許文献】
【０００７】
【特許文献１】特開２０１８−７１１９６号公報
【発明の概要】
【発明が解決しようとする課題】
【０００８】
上記の楔緊結装置により支柱１に取付けられた連結部材２は、仮設足場における横架材等の部材として、作業者の身体その他の上方から受ける荷重を好適に支持する。このような下向き荷重を受けたとき、接支縁部４ａと受縁部９ａの間に圧入された楔部材６は、背部６ｂを接支縁部４ａに喰い込ませる方向に作用するので、更に強く緊結され、緊結位置Ｐ２を維持する。
【０００９】
ところが、図１（Ｂ）に示すように、連結部材２が上向きの外力Ｆを受けたときは、楔部材６の背部６ｂが接支縁部４ａから離れる方向に作用するので、比較的簡単に楔部材６と共に顎金具５が上動する。そして、上動するや否や、楔部材６の緊結状態が弛むので、楔部材６が挿通孔９、１０及び緊結孔４から脱出し、顎金具５がフランジ３から脱落するおそれがある。
【００１０】
本発明は、上記のような楔緊結装置において、緊結状態とされた顎金具の上動を阻止するためのロック装置を提供し、これにより、顎金具の脱落を防止すると共に、その際、作業者はロックとアンロックを行うために特別な操作や作業を必要とせず、取扱いが簡単容易となるように構成したロック装置を提供するものである。
【課題を解決するための手段】
【００１１】
そこで、本発明が手段として構成したところは、支柱に固設されたフランジと連結部材に固設された顎金具を楔部材により連結する楔緊結装置であり、前記フランジの緊結孔に前記顎金具の挿通孔を臨ませた状態で、挿通孔及び緊結孔に挿通された楔部材を待機位置から緊結位置まで下動させ、該楔部材の楔部を緊結孔の接支縁部と挿通孔の受縁部の間に圧入し、楔部材を支柱に向けて前進させることにより、顎金具の先端部を支柱に圧接状態で当接させる構成において、前記楔部材を緊結位置に下動したとき、前記顎金具の上動を阻止するロック装置を設けており、前記ロック装置は、前記顎金具に設けられて前記フランジの外周縁部に対して外側に位置するアンロック位置と下側に位置するロック位置との間で移動自在なロック片と、前記楔部材の上下動に連動して前記ロック片を移動させる作動機構により構成され、前記作動機構は、楔部材を待機位置に位置させたときロック片をアンロック位置に移動し、楔部材を緊結位置に位置させたときロック片をロック位置に移動するように構成されて成る点にある。
【００１２】
好ましくは、前記楔部材を待機位置から自重で下降しないように弾性的に保持する保持手段が設けられている。
【００１３】
本発明の好ましい実施形態において、前記楔部材は、前記楔部に間隔をあけて並設された枝部を備えると共に、該枝部を前記顎金具に形成された作動室に挿入しており、前記作動室にロック片を内装すると共に、該ロック片と前記枝部の間に前記作動機構を構成している。
【００１４】
好ましい１つの実施形態において、前記保持手段は、前記楔部材の枝部に弾接されることにより該枝部を保持する保持スプリングにより構成されている。
【００１５】
好ましい別の実施形態において、前記保持手段は、前記ロック片をアンロック位置に保持する復帰スプリングと、アンロック位置のロック片と待機位置の楔部材の相互において衝合するカム部により、楔部材を待機位置に保持させるように構成している。
【発明の効果】
【００１６】
本発明によれば、楔部材１７を緊結位置Ｐ２まで下動することにより、フランジ１３に顎金具１５を緊結した状態で、フランジ１３の外周縁部の下面に当接係止するロック片２３が設けられ、これにより、顎金具１５の上動を阻止するためのロック装置２２が提供されている。このため、顎金具１５の上動が阻止され、これにより、楔部材１７が顎金具１５から脱出することを防止し、顎金具１５がフランジ１３から脱落する危険を防止することができる。
【００１７】
この際、ロック装置２２は、フランジ１３から退避するアンロック位置Ｌ１とフランジ１３に当接係止するロック位置Ｌ２との間で移動自在に構成されたロック片２３と、待機位置Ｐ１と緊結位置Ｐ２の間で上下動させられる楔部材１７の間において、楔部材１７の上下動に連動してロック片２３を移動させる作動機構２４を構成している。このため、作業者は、楔部材１７を待機位置Ｐ１と緊結位置Ｐ２の間で上下動させるだけで良く、その都度、ロック片２３をロック又はアンロックさせるための特別な操作や作業を行う必要がなく、取扱いが簡単容易であるという効果を奏する。
【図面の簡単な説明】
【００１８】
【図１】従来技術を示しており、（Ａ）は楔部材を待機位置から緊結位置に下動させた緊結状態を示す断面図、（Ｂ）は上向きの外力が作用することにより楔部材と共に顎金具が上動した状態を示す断面図である。
【図２】本発明の第１実施形態に関して、相互に離間させられた支柱のフランジと、楔部材を備えた顎金具を上方から見た状態を示す斜視図である。
【図３】第１実施形態に関して、顎金具と、楔部材と、ロック装置を相互に分解状態として示す斜視図である。
【図４】第１実施形態に関して、顎金具を断面で示すと共に、楔部材にロック装置を組付けた状態を示す斜視図である。
【図５】第１実施形態に関して、顎金具に楔部材とロック装置を組付けた状態の断面を示す斜視図である。
【図６】第１実施形態の作用に関して、顎金具をフランジの上面に載置する前の状態を示す断面図である。
【図７】第１実施形態の作用に関して、顎金具をフランジの上面に載置した状態を示す断面図である。
【図８】第１実施形態の作用に関して、楔部材を待機位置から緊結位置に向けて下動中の状態を示す断面図である。
【図９】第１実施形態の作用に関して、楔部材を緊結位置まで下動させた緊結状態を示す断面図である。
【図１０】本発明の第２実施形態に関して、相互に離間させられた支柱のフランジと、楔部材を備えた顎金具を上方から見た状態を示す斜視図である。
【図１１】第２実施形態に関して、顎金具と、楔部材と、ロック装置を相互に分解状態として示す斜視図である。
【図１２】第２実施形態に関して、楔部材を示すと共に、顎金具にロック装置を組付けた状態を断面で示す斜視図である。
【図１３】第２実施形態の作用に関して、（Ａ）は顎金具の挿通孔に楔部材の脚部を挿通させた状態を示す断面図、（Ｂ）は顎金具の挿通孔に楔部材の楔部を挿通させた状態を示す断面図である。
【図１４】第２実施形態の作用に関して、顎金具をフランジの上面に載置する前の状態を示す断面図である。
【図１５】第２実施形態の作用に関して、顎金具をフランジの上面に載置した状態を示す断面図である。
【図１６】第２実施形態の作用に関して、楔部材を待機位置から緊結位置に向けて下動中の状態を示す断面図である。
【図１７】第２実施形態の作用に関して、楔部材を緊結位置まで下動させた緊結状態を示す断面図である。
【発明を実施するための形態】
【００１９】
以下図面に基づいて本発明の好ましい実施形態を詳述する。
【００２０】
（基本的構成）
図面に示すように、楔緊結装置は、仮設足場における支柱１１と横架材等の連結部材１２を着脱自在に連結するための装置であり、支柱１１に固設したフランジ１３の緊結孔１４の上に、連結部材１２に固設した顎金具１５の挿通孔１６を臨ませた状態で、挿通孔１６及び緊結孔１４に挿通された楔部材１７を待機位置Ｐ１から緊結位置Ｐ２まで下動させ、該楔部材１７の楔部１７Ａを緊結孔１４の接支縁部１４ａと挿通孔１６の受縁部１６ａの間に圧入し、楔部材１７を支柱１１に向けて前進させることにより、顎金具１５の先端の当接部１５ａを支柱１１の表面に圧接状態で当接させるように構成しており、当接部１５ａは支柱１１の周面に沿う円弧面を形成している。この点に関する構成は、上述した従来技術の構成と概ね同様である。
【００２１】
図面は、図２ないし図９に本発明の第１実施形態を示し、図１０ないし図１７に本発明の第２実施形態を示している。２つの実施形態の構成及び作用は、後述する通りであるが、先ず、２つの実施形態に共通する構成を説明した後、それぞれの実施形態に特有の構成と作用を説明する。
【００２２】
（楔部材の共通構成）
楔部材１７は、前記楔部１７Ａの上方に延びる頭部１７Ｂと、下方に延びる脚部１７Ｃを備え、前記脚部１７Ｃは、支柱１１に向けて突出する圧接突部１８を設けている。
【００２３】
楔部１７Ａは、腹部１７ａと背部１７ｂの間の幅寸法を下方に向けて次第に幅狭となるように形成しており、腹部１７ａを支柱１１の軸線と平行に形成し、背部１７ｂを腹部１７ａに対して傾斜するように形成している。
【００２４】
前記圧接突部１８の突出端面には、支柱１１の周面に沿う円弧面を形成することが好ましい。
【００２５】
楔部材１７は、楔部１７Ａに間隔をあけて並設された枝部１７Ｘを備えており、該枝部１７Ｘが、頭部１７Ｂと楔部１７Ａの接合個所から横向きに延設された腕部１７Ｙの先端部に垂設されている。
【００２６】
（顎金具の共通構成）
顎金具１５は、図示の好ましい実施形態の場合、上顎部１５Ａを設ける一方において、図１に示す従来技術のような下顎部を設けていない。しかしながら、下顎部の有無は、本発明の目的に直接関係するものではないから、本発明の必須要件でなく、下顎部を設けても良いことを理解されたい。
【００２７】
前記上顎部１５Ａは、連結部材１２に固設される顎金具１５の筒部１５Ｂから延設されており、楔部材１７の脚部１７Ｃ及び楔部１７Ａを挿通させる挿通孔１６を貫設すると共に、該挿通孔１６の下側の両側に位置してフランジ１４の上面に載置される座部１９を形成している。
【００２８】
前記筒部１５Ｂは、楔部材１７の枝部１７Ｘを挿入させる作動室２０を内部に形成している。作動室２０は、顎金具１５の上部に開口すると共に、前記座部１９の下側に向けて開口する横向き開口部２０ａを開設している。作動室２０の上部開口は、溝状開口部２１を介して挿通孔１６に連通され、該溝状開口部２１に楔部材１７の腕部１７Ｙを挿入させるように構成している。
【００２９】
（ロック装置の共通構成）
楔緊結装置には、楔部材１７を緊結位置Ｐ２に下動することにより、楔部１７Ａを緊結孔１４の接支縁部１４ａと挿通孔１６の受縁部１６ａの間に圧入した緊結状態において、顎金具１５の上動を阻止するロック装置２２が設けられている。
【００３０】
前記ロック装置２２は、ロック片２３と、該ロック片２３を作動させる作動機構２４により構成されている。前記ロック片２３は、フランジ１３の外周縁部に対して、外側に位置するアンロック位置Ｌ１と下側に位置するロック位置Ｌ２との間で移動自在とされ、前記作動機構２４は、楔部材１７の上下動に連動してロック片２３を移動させるように構成されている。
【００３１】
（第１実施形態）
図２ないし図９に基づいて本発明の第１実施形態を説明する。
【００３２】
図４に示すように、前記作動室２０は、上下方向に貫通する挿通路２５ａを形成し、楔部材１７の枝部１７Ｘを挿通させる構成とされており、該挿通路２５ａの近傍から前記横向き開口部２０ａに向けて下向き傾斜するガイドスロープ２６を形成している。尚、ガイドスロープ２６は、後述するように前記作動機構２４の一部を構成する。
【００３３】
図３ないし図５に示すように、前記ロック片２３は、ロック部２７の両側に位置して、前記ガイドスロープ２６に対面させられるガイド面２８を形成すると共に、枢支片２９を斜め上向きに延設しており、該枢支片２９を楔部材１７の枝部１７Ｘの上下方向に長く形成された長孔３０にピン３１を介して回動自在に枢支される。これにより、ロック片２３と枝部１７Ｘの間において、図４に矢印で示すように、前記長孔３０とピン３１によってロック片２３を上下動自在かつ回動自在とする姿勢制御手段３２が構成されている。尚、前記姿勢制御手段３２（長孔３０及びピン３１）とガイド面２８は、前述のガイドスロープ２６と協働することにより、前記作動機構２４を構成する。
【００３４】
顎金具１５の筒部１５Ｂは、尾端開口部を横断して架設された取付座３３を介して取付けられた保持手段３４を設けている。第１実施形態の場合、保持手段３４は、楔部材１７の枝部１７Ｘを弾接状態で保持する保持スプリング３５により構成されている。保持スプリング３５は、板バネにより折曲形成され、前記取付座３３に弾着固定されるクリップ状の固定部３５ａと、先端部を前記作動室２０に臨ませるようにＶ形に折曲形成され、先端の自由端を作動室２０に挿入された楔部材１７の枝部１７Ｘに弾接する弾接部３５ｂを備えている。従って、楔部材１７は、枝部１７Ｘが弾接部３５ｂの弾発付勢力を受けることにより、楔部１７Ａの腹部１７ａを受縁部１６ａに当接した状態で保持される。
【００３５】
図５及び図６に示すように、顎金具１５は、楔部材１７の楔部１７Ａを挿通孔１６に挿通させ、ロック片２３を枢支した枝部１７Ｘを作動室２０に挿入させており、保持手段３４により楔部材１７を待機位置Ｐ１に保持している。楔部材１７は、外力を与えることにより、保持手段３４の弾発力に抗して上下動可能であるが、外力から解放されると、その位置で保持され、自重で下降することはない。
【００３６】
このように楔部材１７を待機位置Ｐ１としたとき、ロック片２３は、ピン３１を長孔３０の下端に当接した状態で、ガイド面２８をガイドスロープ２６の上方に離間させられ、枝部１７Ｘから宙吊り状に吊持され、ロック部２７を後退させたアンロック位置Ｌ１に保持している。
【００３７】
（作用）
図６ないし図９に基づいて、第１実施形態に係る楔緊結装置により緊結を行う際の方法と作用を説明する。
【００３８】
図６に示すように、楔部材１７は、待機位置Ｐ１に位置させた状態で、保持手段３４により保持されているので、自重で下降することはなく、このとき、ロック片２３はアンロック位置Ｌ１に保持されている。そこで、顎金具１５の当接部１５ａを支柱１１の表面に沿わせながら、フランジ１３の上方から楔部材１７の脚部１７Ｃを緊結孔１４に挿入させ、図示矢印のように、顎金具１５を下降させると、座部１９がフランジ１３の上面に載置される。この際、ロック片２３は、アンロック位置Ｌ１に保持され、ロック部２７をフランジ１３の外周縁部の外側に位置させている。つまり、該外周縁部から退避させられているので、ロック部２７が該外周縁部に干渉又は衝突することはない。
【００３９】
因みに、図示実施形態の場合、顎金具１５は、従来技術のような下顎部を設けていないので、従来技術のように楔部材を持ち上げた状態で、顎金具を横向き移動させながら上下顎部の間にフランジを進入させることは必要でなく、単純に上顎部１５Ａをフランジ１３の上に載置するだけで良く、作業が容易である。
【００４０】
顎金具１５の座部１９をフランジ１３の上面に載置したとき、待機位置Ｐ１に保持された楔部材１７の枝部１７Ｘに対して、ロック片２３は、前記姿勢制御手段３２（長孔３０及びピン３１）により宙吊り姿勢とされることにより、アンロック位置Ｌ１に位置しており、このとき、図７に示すように、ガイドスロープ２６に対してガイド面２８が角度θ１を有する傾斜姿勢を保持して離間させられている。
【００４１】
引き続き、顎金具１５をフランジ１３に載置した状態で、ハンマーによる殴打等により、楔部材１７を待機位置Ｐ１から下動させると、図８に示すように、ロック片２３は、ガイド面２８の下向き先端部をガイドスロープ２６に当接し、その後、下降させられることにより、前記角度θ１から図示の角度θ２のように傾斜角度を狭める方向に回動し、ロック部２７をフランジ１３の外周縁部の下側に向けて前進方向に移動させられる。
【００４２】
そして、図９に示すように、下降するロック片２３のガイド面２８がガイドスロープ２６に重ねて合致させられたとき、ロック片２３は、ロック部２７をフランジ１３の外周縁部の下側に位置するロック位置Ｌ２まで移動させられる。
【００４３】
そこで、ハンマーによる殴打等により下動する楔部材１７は、姿勢制御手段３２を構成する長孔３０により、ロック片２３をロック位置Ｌ２に停止させられた姿勢を維持した状態で、図９に示すように、緊結位置Ｐ２まで下動させられる。これにより、楔部１７Ａが緊結孔１４の接支縁部１４ａと挿通孔１６の受縁部１６ａの間に圧入され、楔部材１７を支柱１１に向けて前進させることにより、顎金具１５の先端の当接部１５ａを支柱１１の表面に圧接状態で当接させ、緊結状態を形成する。
【００４４】
このように、第１実施形態のロック装置２２は、楔部材１７を待機位置Ｐ１と緊結位置Ｐ２の間で上下動したとき、ロック片２３をアンロック位置Ｌ１とロック位置Ｌ２の間で移動させるための作動機構２４を長孔３０及びピン３１とガイド面２８及びガイドスロープ２６により構成しており、この際、前記移動時に必要なロック片２３の姿勢制御のための姿勢制御手段３２を長孔３０とピン３１により構成している。
【００４５】
緊結状態において、楔部材１７は、フランジ１３の下方において、圧接突部１８を支柱１１の表面に圧接し、フランジ１３と楔部材１７と支柱１１の３者の相互における緊結状態を形成する。この緊結力は、緊結孔１４の接支縁部１４ａと支柱１１の間に、楔部１７Ａの背部１７ｂと圧接突部１８を圧入することより形成されている。このため、接支縁部１４ａと支柱１１の表面の間の間隔が広がらない限り、緊結力が失われることはない。つまり、支柱１１とフランジ１３は一体であり、前記間隔が広がることはないから、弛むおそれのない強固な緊結力が得られることになる。
【００４６】
このように、楔部材１７は、フランジ１３の上方で接支縁部１４ａと受縁部１６ａの間における緊結力を発生しているだけでなく、これに加えて、フランジ１３の下方で接支縁部１４ａと支柱１１の間における緊結力を発生しているので、図９に示す緊結状態から、連結部材１２に上向きの外力Ｆが作用したときでも、楔部材１７と共に顎金具１５が簡単容易に上動させられることはない。
【００４７】
この点に関して、上向きの外力Ｆが大きくなると、当然のことながら、支柱１１の表面に対して当接部１５ａ及び圧接突部１８が摺動し、楔部材１７と共に顎金具１５が上動するおそれがある。
【００４８】
しかしながら、楔緊結装置にはロック装置２２が設けられており、ロック位置Ｌ２でガイドスロープ２６に支持されたロック片２３のロック部２７がフランジ１３の外周縁部の下面に当接係止するので、これにより、顎金具１５の上動が阻止される。このため、楔部材１７が顎金具１５から脱出したり、顎金具１５がフランジ１３から脱落したりするような危険はない。
【００４９】
図例の場合、図９に示すように、ロック位置Ｌ２おいて、ロック片２３のロック部２７は、フランジ１３の外周縁部の下面から僅かに隙間を介して離れているが、隙間がほとんど生じないように、ロック部２７をフランジ１３に近接させるように構成することが可能であり、そのように構成するのが好ましい。
【００５０】
ロック装置２２は、上述のように、上向きの外力Ｆに対して顎金具１５の上動を阻止することにより、足場における横架材等のような連結部材１２の両端部を支柱１１に連結支持する両端支持構造における安全を担保することができる。更に、ロック装置２２は、両端支持構造の他に、例えば、方杖形式のブラケット等のような連結部材１２を支柱１１に片持ち状態で連結支持する片持ち支持構造の場合には、下向きの外力に関して顎金具１２の転落を阻止することができる。片持ち支持構造の場合、連結部材１２の自由端側に下向き荷重が作用すると、顎金具１５は、フランジ１３に載置された座部１９を中心とする回動方向（図示の時計回り方向）のモーメントを受け、顎金具１５が回動することにより楔部材１７を破壊して転落するおそれがあるのに対して、ロック装置２２は、ロック片２３のロック部２７をフランジ１３の下面に当接することによりモーメントを好適に支持するので、顎金具１５の回動が阻止され、転落を防止することができる。
【００５１】
ところで、足場の解体等に際しては、ハンマーによる殴打等により楔部材１７を上動させれば、緊結状態を解除することができる。図示実施形態の場合、枝部１７Ｘが作動室２０の下方に挿出されているので、該挿出部をハンマー等で殴打することができる。楔部材１７の枝部１７Ｘを上動させると、ロック片２３を引き上げられ、図７ないし図９に示す動作と逆の順序で、ロック片２３がロック位置Ｌ２からアンロック位置Ｌ１に向けて移動させられる。これにより、顎金具１５をフランジ１３の上方に持ち上げることができ、楔部材１７の脚部１７Ｃを緊結孔１４から抜取ることが可能となる。
【００５２】
（第２実施形態）
図１０ないし図１７に基づいて本発明の第２実施形態を説明する。
【００５３】
図１２に示すように、顎金具１５の筒部１５Ｂに形成された作動室２０は、底部２０ｂを有する有底の挿入路２５ｂを形成し、楔部材１７の枝部１７Ｘを挿入させる構成とされている。従って、枝部１７Ｘは、楔部材１７を緊結位置Ｐ２まで下動させたときでも、底部２０ｂに到達しないように短く形成されている。
【００５４】
作動室２０は、前記横向き開口部２０ａに臨むトンネル状の保持壁３６を形成し、筒部１５Ｂの尾端側から該挿入路２５ｂに沿って前記保持壁３６に向けて傾斜するガイド壁３７を形成している。
【００５５】
図１２ないし図１４に示すように、前記ロック片２３は、前記保持壁３６の内部空間に収納され、前記横向き開口部２０ａに対して、後退した位置をアンロック位置Ｌ１とし、前進した位置をロック位置Ｌ２とするように、摺動自在に保持されており、前記横向き開口部２０ａに臨んで形成されたＶ形突部から成るロック部２７を備えている。
【００５６】
ロック片２３は、常時は、復帰スプリング３８により、アンロック位置Ｌ１に保持されている。復帰スプリング３８は、図示実施形態の場合、板バネにより形成され、前記底部２０ｂに固定された円弧状の弾性部３８ａから延設されたアーム部３８ｂをロック片２３に連結している。これにより、ロック片２３は、前進方向の外力を与えることにより、弾性部３８ａの弾性変形を介してロック位置Ｌ２に移動可能であり、外力から解放されると、弾性部３８ａの弾性復元を介してアンロック位置Ｌ１に引き戻され、停止状態に保持される。
【００５７】
楔部材１７の枝部１７Ｘとロック片２３の間には、楔部材１７を待機位置Ｐ１と緊結位置Ｐ２の間で上下動したとき、ロック片２３をアンロック位置Ｌ１とロック位置Ｌ２の間で移動させるための作動機構２４が設けられ、更に、楔部材１７を待機位置Ｐ１から自重で下降しないように弾性的に保持する保持手段３４が設けられている。
【００５８】
第２実施形態の場合、作動機構２４は、枝部１７Ｘの下端部でロック片２３に臨む位置に設けられた作動カム部３９と、ロック片２３の上部で前記作動カム部３９に対面する位置に設けられた従動カム部４０により構成されている。これにより、楔部材１７が下動させられると、枝部１７Ｘの作動カム部３９が従動カム部４０を押圧し、作動カム部３９の下向きの運動を従動カム部４０により横向きの運動に変換することにより、ロック片２３をロック位置Ｌ２に向けて移動する。
【００５９】
また、第２実施形態の場合、保持手段３４は、ロック片２３をアンロック位置Ｌ１に保持する復帰スプリング３８と、作動カム部３９及び従動カム部４０により構成されており、枝部１７Ｘの作動カム部３９をロック片２３の従動カム部４０に載置した位置が楔部材１７の待機位置Ｐ１とされている。作動カム部３９を従動カム部４０に載置した状態で、楔部材１７の自重によりロック片２３がロック位置Ｌ１に向けて移動しないように復帰スプリング３８の弾性が設定されており、これにより楔部材１７を待機位置Ｐ１に保持する。しかしながら、楔部材１７を強く押下すると、相互に衝合された作動カム部３９と従動カム部４０のカム動作により、復帰スプリング３８は、ロック片２３がロック位置Ｌ１に向けて移動することを許すように弾性が設定されており、つまり、楔部材１７を弾性的に保持するように構成されている。
【００６０】
（作用）
図１３ないし図１７に基づいて、第１実施形態に係る楔緊結装置により緊結を行う際の方法と作用を説明する。
【００６１】
先ず、図１３に示すように、顎金具１５に楔部材１７をセットするため、楔部材１７の脚部１７Ｃを挿通孔１６に挿入する。上述のように、脚部１７Ｃは、圧接突部１８を設けており、図１３（Ａ）に示すように、挿通孔１６の受縁部１６ａに圧接突部１８が接触するので、枝部１７Ｘが挿入路２５ｂから偏位している。
【００６２】
そこで、図１３（Ｂ）に示すように、楔部材１７を下降させ、圧接突部１８と共に脚部１７Ｃを挿入孔１６の下方に挿出させると、枝部１７Ｘの下端がガイド壁３７に当接し、該ガイド壁３７に沿って案内されながら下動させられる。このような案内により、楔部材１７は、図１４に示すように、楔部１７Ａの腹部１７ａが受縁部１６ａに沿わされ、枝部１７Ｘが挿入路２５ｂに臨ませられた所定姿勢となるように姿勢制御される。
【００６３】
図１４に示すように、楔部材１７は、待機位置Ｐ１に位置させた状態で、作動カム部３９を従動カム部４０に載置することにより形成される保持手段３４により保持されているので、自重で下降することはなく、このとき、ロック片２３はアンロック位置Ｌ１に保持されている。そこで、顎金具１５の当接部１５ａを支柱１１の表面に沿わせながら、フランジ１３の上方から楔部材１７の脚部１７Ｃを緊結孔１４に挿入させ、図示矢印のように、顎金具１５を下降させると、座部１９がフランジ１３の上面に載置される。この際、ロック片２３は、アンロック位置Ｌ１に保持され、ロック部２７をフランジ１３の外周縁部の外側に位置させている、つまり、該外周縁部から退避させているので、ロック部２７が該外周縁部に干渉又は衝突することはない。
【００６４】
因みに、図示実施形態の場合、顎金具１５は、従来技術のような下顎部を設けていないので、従来技術のように楔部材を持ち上げた状態で、顎金具を横向き移動させながら上下顎部の間にフランジを進入させることは必要でなく、単純に上顎部１５Ａをフランジ１３の上に載置するだけで良く、作業が容易である。
【００６５】
顎金具１５をフランジ１３に載置した状態で、ハンマーによる殴打等により、楔部材１７を待機位置Ｐ１から下動させると、図１５及び図１６に示すように、作動機構２４により、ロック片２３がロック位置Ｌ２に向けて移動させられる。図示のように、枝部１７Ｘの作動カム部３９が従動カム部４０を押圧し、作動カム部３９の下向きの運動を従動カム部４０により横向きの運動に変換し、ロック片２３をロック位置Ｌ２に向けて移動する。
【００６６】
そして、図１７に示すように、ロック片２３の移動により、下降する枝部１７Ｘの作動カム部３９がロック片２３の従動カム部４０を乗り越え、枝部１７Ｘによりロック片２３の後退移動が拘束される。このとき、楔部材１７は、緊結位置Ｐ２まで下動させられており、ロック片２３は、ロック部２７をフランジ１３の外周縁部の下側に位置するロック位置Ｌ２まで移動させられている。
【００６７】
緊結状態における作用等は、第１実施形態に関する上述の説明と同様であるから、上述の説明を援用することにより、重複した説明を省略する。
【００６８】
足場の解体等に際しては、ハンマーによる殴打等により楔部材１７を上動させれば、緊結状態を解除することができる。枝部１７Ｘが上動することによりロック片２３の側部を開放すると、ロック片２３は、復帰スプリング３８によりアンロック位置Ｌ１に引き戻される。従って、アンロック位置Ｌ１とされたロック片２３の従動カム部４０の上に枝部１７Ｘの作動カム部３９を載置することにより、楔部材１７は待機位置Ｐ１に保持される。これにより、顎金具１５をフランジ１３の上方に持ち上げることができ、楔部材１７の脚部１７Ｃを緊結孔１４から抜取ることが可能となる。
【符号の説明】
【００６９】
１１  支柱
１２  連結部材
１３  フランジ
１４  緊結孔
１４ａ  接支縁部
１５  顎金具
１５Ａ  上顎部
１５Ｂ  筒部
１５ａ  当接部
１６  挿通孔
１６ａ  受縁部
１７  楔部材
１７Ａ  楔部
１７ａ  腹部
１７ｂ  背部
１７Ｂ  頭部
１７Ｃ  脚部
１７Ｘ  枝部
１７Ｙ  腕部
１８  圧接突部
１９  座部
２０  作動室
２０ａ  横向き開口部
２０ｂ  底部
２１  溝状開口部
２２  ロック装置
２３  ロック片
２４  作動機構
２５ａ  挿通路
２５ｂ  挿入路
２６  ガイドスロープ
２７  ロック部
２８  ガイド面
２９  枢支片
３０  長孔
３１  ピン
３２  姿勢制御手段
３３  取付座
３４  保持手段
３５  保持スプリング
３５ａ  固定部
３５ｂ  弾接部
３６  保持壁
３７  ガイド壁
３８  復帰スプリング
３８ａ  弾性部
３８ｂ  アーム部
３９  作動カム部
４０  従動カム部
【図１】
2020023804.tif 000003
【図２】
2020023804.tif 000004
【図３】
2020023804.tif 000005
【図４】
2020023804.tif 000006
【図５】
2020023804.tif 000007
【図６】
2020023804.tif 000008
【図７】
2020023804.tif 000009
【図８】
2020023804.tif 000010
【図９】
2020023804.tif 000011
【図１０】
2020023804.tif 000012
【図１１】
2020023804.tif 000013
【図１２】
2020023804.tif 000014
【図１３】
2020023804.tif 000015
【図１４】
2020023804.tif 000016
【図１５】
2020023804.tif 000017
【図１６】
2020023804.tif 000018
【図１７】
2020023804.tif 000019